(57)【要約】【課題】電子機器において、待機時の電力消費量をより一層低減させることを課題とする。【解決手段】上記課題を解決するために、通常時電力供給回路と通常時電力供給回路を立ち上げるための回路に電力を供給する待機時電力供給回路と、待機時電力供給回路を立ち上げるための回路に電力を供給する起動回路とからなり、起動回路は、フォトトランジスタスイッチにより外光を受光し、待機時電力供給回路に電力を供給し、外光を受光しないときは電力を消費しない電源供給部を備えた電子機器を提供する。【選択図】図１
2013135377.tif 000002
【特許請求の範囲】
【請求項１】
通常時電力供給回路と通常時電力供給回路を立ち上げるための回路に電力を供給する待機時電力供給回路と、
待機時電力供給回路を立ち上げるための回路に電力を供給する起動回路とからなり、
起動回路は、フォトトランジスタスイッチにより外光を受光し、待機時電力供給回路に電力を供給し、外光を受光しないときは電力を消費しない電源供給部を備えた電子機器。
【請求項２】
前記通常時電力供給回路は、
通常時電力供給回路が立ち上がった後、前記フォトトランジスタスイッチが外光を受光しないときであっても待機時電力供給回路に対する起動回路の電力供給を維持させるための電力供給維持回路を有する請求項１に記載の電子機器。
【請求項３】
通常時の動作についての予約である動作予約を管理する管理部と、
前記管理部にて管理されている動作予約が行われるときに、待機時電力供給回路に電力が供給されるように制御する予約時制御部と、を有する請求項１又は２に記載の電子機器。
【発明の詳細な説明】
【技術分野】
【０００１】
本発明は、外光を検出することで待機時の電力供給を制限して電力消費をより抑える電子機器に関する。
【背景技術】
【０００２】
近年、電化製品における電力消費低減が求められているが、とくにテレビ受像機などにおける待機時の電力消費低減を図ることが課題となっている。というのも、電力消費を極限的に削減するためには、主電源を切ったりコンセントを抜いたりすることが最も効果的であるところ、一方では、ユーザの利便性を鑑みてリモコンからの操作に備えるためのリモコン信号受信回路への電力供給を維持する必要があるからである。そこで、リモコンによる操作を維持しつつ待機時の電力消費を削減するためのテレビ受像機が提案されている。
【０００３】
このテレビ受像機は、部屋が暗いときには視聴されることがほとんどないという想定の下、テレビ受像機が待機状態にあるときに部屋の明るさを検知し、所定の明るさが保たれている場合にはリモコン信号受信回路への電力供給を維持し、所定の暗さに達した場合にはリモコン信号受信回路への電力供給を遮断するものである。これにより、ユーザの利便性を損なうことなく、待機時の電力消費をより低減させることが可能となる。
【先行技術文献】
【特許文献】
【０００４】
【特許文献１】特開２０１１−７１９０２号公報
【発明の概要】
【発明が解決しようとする課題】
【０００５】
特許文献１において、リモコン信号受信回路に対する電力供給の制御は、光検出回路とテレビ制御マイコンとにより行っている。フォトダイオードやフォトトランジスタ、あるいは、太陽電池などを用いた光検出回路は外光を検出し、検出信号をテレビ制御マイコンに出力する。テレビ制御マイコンは、出力された検出信号の値を所定の閾値と比較し、所定の明るさよりも暗いときの値である場合に、リモコン信号受信回路への電力供給を遮断する。しかしながら、リモコン信号受信回路に対する電力供給が遮断されたときであっても、テレビ制御マイコンへの電力供給は常に維持される。したがって、より一層の電力消費低減のためには、このようなテレビ制御マイコンにおける消費電力をも削減の対象とする必要がある。
【課題を解決するための手段】
【０００６】
上記課題を解決するための手段として、以下の発明などを提供する。すなわち、第一の発明として、通常時電力供給回路と通常時電力供給回路を立ち上げるための回路に電力を供給する待機時電力供給回路と、待機時電力供給回路を立ち上げるための回路に電力を供給する起動回路とからなり、起動回路は、フォトトランジスタスイッチにより外光を受光し、待機時電力供給回路に電力を供給し、外光を受光しないときは電力を消費しない電源供給部を備えた電子機器を提供する。
【０００７】
第二の発明として、前記通常時電力供給回路は、通常時電力供給回路が立ち上がった後、前記フォトトランジスタスイッチが外光を受光しないときであっても待機時電力供給回路に対する起動回路の電力供給を維持させるための電力供給維持回路を有する第一の発明に記載の電子機器を提供する。
【０００８】
第三の発明として、通常時の動作についての予約である動作予約を管理する管理部と、前記管理部にて管理されている動作予約が行われるときに、待機時電力供給回路に電力が供給されるように制御する予約時制御部と、を有する第一の発明又は第二の発明に記載の電子機器を提供する。
【発明の効果】
【０００９】
本発明により、部屋の照明などを消すことで待機時電力供給回路が停止し、主電源を切ったりコンセントを抜いたりした状態と同等に電力消費を削減することが可能となる。
【図面の簡単な説明】
【００１０】
【図１】実施形態１の電子機器の機能ブロックの一例を示す図
【図２】実施形態１の電子機器の回路構成の一例を示す図
【図３】実施形態１の電子機器の動作を表すフローチャート
【図４】実施形態２の電子機器の回路構成の一例を示す図
【図５】実施形態２の電子機器の動作を表すフローチャート
【図６】実施形態３の電子機器の機能ブロックの一例を示す図
【発明を実施するための形態】
【００１１】
以下、本発明の実施の形態について説明する。なお、本発明は、これらの実施形態に何ら限定されるべきものではなく、その要旨を逸脱しない範囲において、種々なる態様で実施し得る。
【００１２】
実施形態１は、主に請求項１について説明する。実施形態２は、主に請求項２について説明する。実施形態３は、主に請求項３について説明する。
<実施形態１>
<実施形態１  概要>
【００１３】
本実施形態は、待機時電力供給回路に対する電力供給の制御を、マイコンなどを用いることなくフォトトランジスタスイッチを含む起動回路によって行う。フォトトランジスタスイッチが外光を受けるときには待機時電力供給回路に電力を供給する一方で、受光しないときには起動回路に電流は流れなくなる。したがって、就寝などの際に電子機器が置かれた部屋の照明を消すことで、主電源を切ったりコンセントを抜いたりすることなく、待機時電力供給回路への電力供給が遮断される。これにより、ユーザを煩わせることなくより一層の電力消費削減が実現する。
<実施形態１  構成>
【００１４】
本実施形態の電子機器の機能ブロックの一例を図１に示す。電子機器０１００は、通常時電力供給回路０１０１と、待機時電力供給回路０１０２と、起動回路０１０３からなり、起動回路は、電源供給部０１０４を有する。
【００１５】
ここで、本装置の機能ブロックは、ハードウェア、ソフトウェア、またはハードウェアおよびソフトウェアの両方として実現され得る。具体的には、コンピュータを利用するものであれば、ＣＰＵやＲＡＭ、バス、あるいは補助記憶装置（不揮発性メモリ、メモリカードなどの記憶メディアとそれらメディアのリーダライタなど）、表示装置、その他の外部周辺装置などのハードウェア構成部やその外部周辺機器用のＩ／Ｏポート、それらハードウェアを制御するためのドライバプログラムやその他アプリケーションプログラム、情報入力に利用されるユーザインターフェイスなどが挙げられる。
【００１６】
また、これらハードウェアやソフトウェアは、ＲＡＭ上に展開したプログラムをＣＰＵで演算処理したり、メモリやハードディスク上に保持されているデータや、インターフェイスを介して入力されたデータなどを加工、蓄積、出力処理したり、あるいは各ハードウェア構成部の制御を行ったりするために利用される。また、この発明は装置として実現できるのみでなく、方法としても実現可能である。また、このような発明の一部をソフトウェアとして構成することができる。さらに、そのようなソフトウェアをコンピュータに実行させるために用いるソフトウェア製品、および同製品を記憶媒体に固定した記憶媒体も、当然にこの発明の技術的な範囲に含まれる（本明細書の全体を通じて同様である）。
【００１７】
通常時電力供給回路は、電子機器の備えるすべての機能を動作するために用いられる電力を供給するための回路である。通常時電力供給回路は、後述する待機時電力供給回路から供給される電力により立ち上がる。すなわち、待機時電力供給回路からの電力供給がなされない状況においては、通常時電力供給回路は通電されず動作しない。なお、電子機器は、例えば、テレビ受像機やハードディスクレコーダ、パーソナルコンピュータ、携帯電話機、ナビゲーション装置、冷暖房機などとして具現される。
【００１８】
待機時電力供給回路は、通常時電力供給回路を立ち上げるための回路に電力を供給する。また、待機時電力供給回路は、電子機器の待機状態（スタンバイ状態）において、リモコン信号受信回路などの限られた回路にのみ電力を供給する。
【００１９】
起動回路は、待機時電力供給回路を立ち上げるための回路に電力を供給する。そして、フォトトランジスタスイッチにより外光を受光し、待機時電力供給回路に電力を供給し、外光を受光しないときは電力を消費しない電源供給部を備える。
【００２０】
図２は、起動回路の具体的な一例を示すものである。起動回路０２００は、商用電源と接続されるフィルタ回路及び整流回路０２０２から待機時電力供給回路０２２０の１次側待機時電力供給回路０２２１へ至る回路であり、フィルタ回路及び整流回路側に配置されるコンデンサＣ１  ０２０３と、１次側待機電力供給回路側に配置されるコンデンサＣ３  ０２０４との間に並列に電源供給部０２０１が配置される。なお、コンデンサＣ１及びＣ２は、出力電圧の安定化のため電圧平滑用として用いるものである。
【００２１】
電源供給部は、フォトトランジスタスイッチＳ１  ０２０５は抵抗Ｒ１  ０２０６及び抵抗Ｒ２  ０２０７と直列に配置され、コンデンサＣ２  ０２０８は抵抗Ｒ２と並列に接続される。また、抵抗Ｒ２及びコンデンサＣ２とフォトトランジスタスイッチＳ１との接続端は、トランジスタＴ１  ０２０９のベースと接続される。抵抗Ｒ３  ０２１１と抵抗Ｒ４  ０２１０はトランジスタＴ１と直列に接続され、ＭＯＳ−ＦＥＴＦ１  ０２１２は、抵抗Ｒ３と並列に接続される。
【００２２】
次に、電源供給部の動作を説明する。フォトトランジスタスイッチＳ１が光を受けることにより抵抗Ｒ１、Ｒ２に電流が流れる。抵抗Ｒ２に閾値電圧以上が印加されるとトランジスタＴ１がオンされる。ここで、コンデンサＣ１は、待機時電力供給回路を立ち上げる時、起動回路が光の微小な照度変化により不安定にならないように時定数をもたせるために配置される。そして、トランジスタＴ１のオン動作により、トランジスタＴ１、抵抗Ｒ３、Ｒ４に電流が流れ、抵抗Ｒ３に印加される電圧が閾値電圧以上になるとＭＯＳ−ＦＥＴＦ１から電圧が出力され、待機電力供給回路の１次側及び２次側が動作し、負荷側に電力が供給される。
【００２３】
一方、部屋の照明が消された場合のように、フォトトランジスタスイッチＳ１が受光する外光が閾値を下回る場合には上述の動作は行われずＭＯＳ−ＦＥＴＦ１から電圧は出力されない。このように、外光を受光しない場合には、電力供給部に電流が流れなくなることで、待機時電力供給回路に電力が供給されなくなり、電力を消費しなくなる。
【００２４】
以上のように、例えば、ユーザが就寝する際に部屋の照明を消した場合、フォトトランジスタスイッチＳ１は外光を受光しない状態となる。これにより、待機時電力供給回路に電力が供給されなくなり、主電源を切ったりコンセントを抜いたりした状態と同様になる。なお、フォトトランジスタスイッチＳ１が部屋の照明などの外光を受光し得るように、電子機器に配置することが好ましい。例えば、テレビ受像機の場合には、キャビネットの上方に設けることで天井に備えられた照明機器からの光を受けやすくなる。
【００２５】
図３は、上述した起動回路の動作を示したフローチャートである。まず、フォトトランジスタＳ１が受光する（ステップＳ０３０１）。そして、抵抗Ｒ２に係る電圧が閾値以上となるか否かにより分岐する（ステップＳ０３０２）。閾値以上となった場合には、トランジスタＴ１がオンし、ＭＯＳ−ＦＥＴＦ１から電圧が出力され、待機時電力供給回路が動作する（ステップＳ０３０３）。一方、閾値以上とならない場合には、待機時電力供給回路は動作しない。
<実施形態１  効果>
【００２６】
本実施形態の電子機器により、部屋の照明などを消すことで待機時電力供給回路が停止し、主電源を切ったりコンセントを抜いたりした状態と同等に電力消費を削減することが可能となる。
<実施形態２>
<実施形態２  概要>
【００２７】
本実施形態の電子機器は、通常時電力供給回路が立ち上がった後、フォトトランジスタスイッチが外光を受光しないときであっても起動回路が待機時電力供給回路への電力供給を維持するものである。視聴などのように通常時電力供給回路による動作時において、フォトトランジスタスイッチが人や物の影となることにより、かかる動作が予期せず停止するなどの事態を回避することができ、安定的な動作を維持することが可能となる。
<実施形態２  構成>
【００２８】
本実施形態に係る電子機器は、実施形態１を基本とし、通常時電力供給回路は、通常時電力供給回路が立ち上がった後、前記フォトトランジスタスイッチが外光を受光しないときであっても待機時電力供給回路に対する起動回路の電力供給を維持させるための電力供給維持回路を有する。
【００２９】
図４は、電力供給維持回路を有する電子機器の回路構成の具体的な一例を示すものである。起動回路などについては、図２で示した実施形態１と同様であるので、重ねての説明は省略する。
【００３０】
電力供給維持回路は、通常時電力供給回路０４３０の２次側０４３２に配置される。フォトカプラＰ１  ０４３３は、フォトトランジスタ側がトランジスタＴ１  ０４０９と接続され、発光ダイオード側が通常時電力供給回路と接続される。そして、発光ダイオード側に並列で抵抗Ｒ５  ０４３４が接続され、発光ダイオードのカソード側にツェナーダイオード０４３６が接続され、アノード側に抵抗Ｒ６  ０４３５が接続される。
【００３１】
次に電力供給維持回路の動作について説明する。まず、上述したようにフォトトランジスタスイッチが外光を受光することで待機時電力供給回路が立ち上がる。そして、リモコンや電源スイッチなどの操作により通常時電力供給回路が立ち上げられる。これにより、通常時電力供給回路の２次側から出力される電圧によりフォトカプラＰ１の発光ダイオード、抵抗Ｒ５、Ｒ６に電流が流れ、フォトカプラＰ１のフォトトランジスタがオン動作する。この動作により、フォトトランジスタスイッチＳ１の受光の如何に関わらず待機時電力供給回路への電力供給が維持される。
【００３２】
一方、リモコンなどの操作により通常時電力供給回路の動作が停止された場合には、電力供給維持回路の動作も停止するため、かかる状況下でフォトトランジスタスイッチＳ１が受光しないこととなれば、実施形態１にて説明したように待機時電力供給回路への電力供給が停止する。
【００３３】
電力供給維持回路により、例えば、就寝するにあたりリモコンでテレビ受像機をオフし、部屋の照明を消灯することで待機時電力供給回路への電力供給も停止され、コンセントを抜くなどしなくても同等に電力消費を削減することができる。また、視聴などの通常の動作が行われているときには、フォトトランジスタスイッチＳ１が受光しないときがあっても電力供給が遮断されることなく安定的に視聴などをすることができる。
【００３４】
図５は、本実施形態の電子機器の動作を示すフローチャートである。まず、フォトトランジスタＳ１が受光する（ステップＳ０５０１）。そして、抵抗Ｒ２に係る電圧が閾値以上となるか否かにより分岐する（ステップＳ０５０２）。閾値以上となった場合には、トランジスタＴ１がオンし、ＭＯＳ−ＦＥＴＦ１から電圧が出力され、待機時電力供給回路が動作する（ステップＳ０５０３）。一方、閾値以上とならない場合には、待機時電力供給回路は動作しない。待機時電力供給回路が動作した後に、通常時電力供給回路が立ち上がったか否かにより分岐する（ステップＳ０５０４）。立ち上がった場合には、フォトカプラＰ１がオンし、待機時電力供給回路の動作が維持される（ステップＳ０５０５）。通常時電力供給回路が立ち上がらない場合には、フォトトランジスタスイッチの受光の如何により待機時電力供給回路への電力供給がオン又はオフされる。
<実施形態２  効果>
【００３５】
本実施形態の電子機器により、通常時電力供給回路が立ち上がった後は、フォトトランジスタスイッチが受光しない場合でも、待機時電力供給回路への電力供給が維持され、電子機器を安定的に動作させることができる。
<実施形態３>
<実施形態３  概要>
【００３６】
本実施形態は、深夜に予約録画を行うときに外光を受けない状況下になったとしても、待機時電力供給回路への電源供給を維持することで、係る予約録画が実行される電子機器である。
<実施形態３  構成>
【００３７】
本実施形態の電子機器の機能ブロックの一例を図６に示す。電子機器０６００は、通常時電力供給回路０６０１と、待機時電力供給回路０６０２と、電源供給部０６０４を有する起動回路０６０３を有し、さらに、管理部０６０５と、予約制御部０６０６を有する。本実施形態の電子機器は、実施形態１又は２を基本とするものであり、管理部及び予約制御部以外の構成については既に述べているので重ねての説明を省略する。
【００３８】
管理部は、通常時の動作についての予約である動作予約を管理する機能を有する。動作予約の例をあげると、テレビ受像機の場合には、録画予約や視聴予約などがある。また、暖房機における起床時に合わせた運転開始予約などがある。管理部はこのような動作予約を、保持や更新などして管理する。
【００３９】
予約制御部は、管理部にて管理されている動作予約が行われるときに、待機時電力供給回路に電力が供給されるように制御する。このように構成することで、動作予約が行われるときに待機時電力供給回路は通常時電力供給回路への電力供給が可能となり、係る動作予約が実行される。
【００４０】
管理部及び予約制御部は、待機時電力供給回路からの電力供給により駆動されるマイコンなどを用いて、動作予約が完了するまで電力供給を維持するように構成してもよいし、又は、商用電源とは別に電子機器に備えられるバッテリーにより駆動されるマイコンなどを用いて、動作予約が行われるときに待機時電力供給回路を立ち上げるように構成してもよい。後者の場合には、動作予約が行われるときまでは、待機時電力供給回路へ電力供給がなされないため、商用電源の消費量をより削減することが可能となる。
<実施形態３  効果>
【００４１】
本実施形態の電子機器により、深夜などの外光がないときにも動作予約を実行することが可能となる。
【符号の説明】
【００４２】
０１００  電子機器
０１０１  通常時電力供給回路
０１０２  待機時電力供給回路
０１０３  起動回路
０１０４  電源供給部
【図１】
2013135377.tif 000003
【図２】
2013135377.tif 000004
【図３】
2013135377.tif 000005
【図４】
2013135377.tif 000006
【図５】
2013135377.tif 000007
【図６】
2013135377.tif 000008